【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
少なくとも一つの画素アレイを使用して画像データを取得する方法であって、
複数の画素を含む少なくとも一つの画素アレイを使用して、第１の画像に対応する光を第１の露出レベルでキャプチャすることと、
前記複数の画素を使用して、第２の画像に対応する光を、前記第１の露出レベルとは異なる第２の露出レベルでキャプチャし、前記画素の各々が、前記第２の画像に対応する光をキャプチャすることを開始する前に、前記第１の画像に対応する光をキャプチャすることを完了することと、
前記第１の画像について前記画素アレイによってキャプチャされた前記光に対応する第１のデジタル測定値を読み出すことと、
前記第２の画像について前記画素アレイによってキャプチャされた前記光に対応する第２のデジタル測定値を読み出すことと、
を含み、
前記第２の画像に対応する光をキャプチャする前記ステップは、前記第１のデジタル測定値を読み出す前記ステップの完了の前に開始し、
さらに、前記第１のデジタル測定値を読み出す実質的な完了から、前記第２のデジタル測定値を読み出す実質的な完了までの時間は、前記第１の画像についての第１の画素の読み出しの完了から、前記第１の画像についての実質的に全ての画素の読み出しの完了までの時間よりも大きい、
方法。
【請求項２】
前記複数の画素は、１つまたは複数の行から成る部分集合を含む一組の行を形成し、
前記第１の画像に対応する光をキャプチャすることと、前記第２の画像に対応する光をキャプチャすることとは、群として各部分集合における画素で時間内に起こる、請求項１に記載の方法。
【請求項３】
前記複数の画素の各々の画素について、前記第１の画像について前記各々の画素によってキャプチャされた前記第１のデジタル測定値のデジタル測定値の読み出しと、前記第２の画像に対応する光を前記第２の露出レベルで前記各々の画素によってキャプチャすることの開始との間に、略１００画素リセット時間よりも小さい露出間遅延が存在する、請求項１に記載の方法。
【請求項４】
前記露出間遅延は、略１０画素リセット時間よりも小さい、請求項３に記載の方法。
【請求項５】
前記露出間遅延は、略１画素リセット時間である、請求項４に記載の方法。
【請求項６】
前記第１および第２の画像は、ロールシャッタ手法を使用してキャプチャされる、請求項１に記載の方法。
【請求項７】
画素の１つまたは複数の行から成る特定の部分集合によって前記第１の画像に対応する光のキャプチャが開始するとき、および画素の１つまたは複数の行から成る後続の部分集合によって前記第１の画像に対応する光のキャプチャが開始するときからの画素間遅延は、略２画素読み出し時間よりも小さい、請求項６に記載の方法。
【請求項８】
前記画素間遅延は、略１画素読み出し時間である、請求項７に記載の方法。
【請求項９】
前記第１の画像および第２の画像は、一連の動画ビデオフレームにおける第１のフレームに対応しており、
前記方法は、
前記画素アレイを使用して、第３の画像に対応する光を第１の露出レベルでキャプチャすることと、
前記画素アレイを使用して、第４の画像に対応する光を第２の露出レベルでキャプチャし、前記画素の各々が、前記第４の画像に対応する光をキャプチャすることを開始する前に、前記第３の画像に対応する光をキャプチャすることを完了し、前記第３の画像および第４の画像が、一連の動画ビデオフレームにおける第２のフレームに対応していることと、
前記第３の画像について前記画素アレイによってキャプチャされた光に対応する第３のデジタル測定値を読み出すことと、
前記第４の画像について前記画素アレイによってキャプチャされた光に対応する第４のデジタル測定値を読み出すことと、
をさらに含み、
前記第４の画像に対応する光をキャプチャする前記ステップは、前記第３のデジタル測定値を読み出す前記ステップの完了の前に開始し、
さらに、前記第３のデジタル測定値を読み出す実質的な完了から、前記第４のデジタル測定値を読み出す実質的な完了までの時間は、前記第３の画像についての第１の画素の読み出しの完了から、前記第３の画像についての実質的に全ての画素の読み出しの完了までの時間よりも大きい、
請求項１に記載の方法。
【請求項１０】
前記第１の画像または前記第２の画像のいずれかとは異なるダイナミックレンジを有する第１の結合画像を作り出すために、前記第１の画像および前記第２の画像は、選択的に結合され、
前記第３の画像または前記第４の画像のいずれかとは異なるダイナミックレンジを有する第２の結合画像を作り出すために、前記第３の画像および前記第４の画像は、一緒に結合される、
請求項９に記載の方法。
【請求項１１】
撮像システムであって、
複数の画素を含む少なくとも一つの画素アレイと、
制御回路と、
を含み、
該制御回路は、
前記画素アレイを用いて、第１の画像に対応する光を第１の露出レベルでキャプチャし、
前記画素アレイを用いて、第２の画像に対応する光を、前記第１の露出レベルとは異なる第２の露出レベルでキャプチャし、前記画素の各々が、前記第２の画像に対応する光をキャプチャすることを開始する前に、前記第１の画像に対応する光をキャプチャすることを完了し、
前記第１の画像について前記画素アレイによってキャプチャされた光に対応する第１のデジタル測定値を読み出し、
前記第２の画像について前記画素アレイによってキャプチャされた光に対応する第２のデジタル測定値を読み出す、
ように構成され、
前記制御回路は、前記第１のデジタル測定値を読み出すことを完了する前に、前記第２の画像に対応する前記光をキャプチャすることを開始し、
さらに、前記第１のデジタル測定値を読み出す実質的な完了から、前記第２のデジタル測定値を読み出す実質的な完了までの時間は、前記第１の画像についての第１の画素の読み出しの完了から、前記第１の画像についての実質的に全ての画素の読み出しの完了までの時間よりも大きい、
撮像システム。
【請求項１２】
前記複数の画素は、１つまたは複数の行から成る部分集合を含む一組の行を形成し、
前記第１の画像に対応する光をキャプチャすることと、前記第２の画像に対応する光をキャプチャすることとは、群として各部分集合における画素で時間内に起こる、請求項１１に記載の撮像システム。
【請求項１３】
前記複数の画素の各々の画素について、前記制御回路が、第１の画像について前記各々の画素によってキャプチャされた前記第１のデジタル測定値のデジタル測定値を読み出すときと、前記第２の画像に対応する光を前記第２の露出レベルで前記各々の画素によってキャプチャすることを開始するときとの間に、略１００画素リセット時間よりも小さい露出間遅延が存在する、請求項１１に記載の撮像システム。
【請求項１４】
前記露出間遅延は、略１０画素リセット時間よりも小さい、請求項１３に記載の撮像システム。
【請求項１５】
前記露出間遅延は、略１画素リセット時間である、請求項１４に記載の撮像システム。
【請求項１６】
前記制御回路は、ロールシャッタ手法を使用して前記第１および第２の画像をキャプチャするように構成される、請求項１１に記載の撮像システム。
【請求項１７】
画素の１つまたは複数の行から成る特定の部分集合によって前記第１の画像に対応する光のキャプチャが開始するとき、および画素の１つまたは複数の行から成る後続の部分集合によって前記第１の画像に対応する光のキャプチャが開始するときからの画素間遅延は、略２画素読み出し時間よりも小さい、請求項１６に記載の撮像システム。
【請求項１８】
前記画素間遅延は、略１画素読み出し時間である、請求項１７に記載の撮像システム。
【請求項１９】
前記第１の画像および第２の画像は、一連の動画ビデオフレームにおける第１のフレームに対応しており、
前記制御回路は、
前記画素アレイを用いて、第３の画像に対応する光を前記第１の露出レベルでキャプチャし、
前記画素アレイを用いて、第４の画像に対応する光を前記第２の露出レベルでキャプチャし、前記画素の各々が、前記第４の画像に対応する光をキャプチャすることを開始する前に、前記第３の画像に対応する光をキャプチャすることを完了し、前記第３の画像および第４の画像が、一連の動画ビデオフレームにおける第２のフレームに対応しており、
前記第３の画像について前記画素アレイによってキャプチャされた光に対応する第３のデジタル測定値を読み出し、
前記第４の画像について前記画素アレイによってキャプチャされた光に対応する第４のデジタル測定値を読み出す、
ようにさらに構成され、
前記制御回路は、前記第３のデジタル測定値の読み出しの完了の前に、前記第４の画像に対応する光をキャプチャすること開始し、
さらに、前記第３のデジタル測定値を読み出す実質的な完了から、前記第４のデジタル測定値を読み出す実質的な完了までの時間は、前記第３の画像についての第１の画素の読み出しの完了から、前記第３の画像についての実質的に全ての画素の読み出しの完了までの時間よりも大きい、
請求項１１に記載の撮像システム。
【請求項２０】
前記第１の画像または前記第２の画像のいずれかとは異なるダイナミックレンジを有する第１の結合画像を作り出すために、前記第１の画像および前記第２の画像は、選択的に結合され、
前記第３の画像または前記第４の画像のいずれかとは異なるダイナミックレンジを有する第２の結合画像を作り出すために、前記第３の画像および前記第４の画像は、一緒に結合される、
請求項１９に記載の撮像システム。
【請求項２１】
少なくとも一つのデジタル撮像センサを使用して画像データを取得する方法であって、
複数の画素を含む前記少なくとも一つのデジタル撮像センサを用いて、第１の画像を、第１の露出レベルでロールシャッタ手法を使用してキャプチャすることと、
前記センサを用いて、第２の画像を、前記第１の露出レベルとは異なる第２の露出レベルでロールシャッタ手法を使用してキャプチャすることと、
前記第１の画像に対応するデジタル測定値を前記センサから出力することと、
前記第２の画像に対応するデジタル測定値を前記センサから出力することと、
を含み、
前記第１の画像をキャプチャすることは、前記第２の画像の前記キャプチャが開始する前に開始し、
前記第１の画像の前記キャプチャおよび前記第２画像の前記キャプチャは、時間的にオーバラップし、
さらに、前記第１の画像に対応するデジタル測定値を前記センサから出力することが実質的に完了するときから、前記第２の画像に対応するデジタル測定値を前記センサから出力することが実質的に完了するときまでの時間は、前記第１の画像についての第１の画素に対応するデジタル測定値の出力の完了から、前記第１の画像についての実質的に全ての画素のデジタル測定値の出力の完了までの時間よりも大きい、
方法。
【請求項２２】
少なくとも一つの画素アレイを使用して取得された画像データを結合する方法であって、
一つまたはそれ以上のハードウェアプロセッサによって実現されるように、
第１の画像に対応する第１の画像データであって、複数の画素を含む少なくとも一つの画素アレイによって第１の露出レベルでキャプチャされた光に対応する第１のデジタル測定値に由来する第１の画像データを取得することと、
第２の画像に対応する第２の画像データであって、前記第１の露出レベルとは異なる第２の露出レベルで前記画素アレイによってキャプチャされた光に対応する第２のデジタル測定値に由来する第２の画像データを取得し、前記画素の各々が、前記第２の画像に対応する光をキャプチャすることを開始する前に、前記第１の画像に対応する光をキャプチャすることを完了することと、
結合画像に対応する結合画像データを作り出すために、前記第１の画像データと前記第２の画像データとを選択的に結合することと、
を含み、
前記第２の画像に対応する光をキャプチャする前記ステップは、前記第１のデジタル測定値の読み出しの完了の前に開始され、
さらに、前記第１のデジタル測定値を読み出す実質的な完了から、前記第２のデジタル測定値を読み出す実質的な完了までの時間は、前記第１の画像についての第１の画素の読み出しの完了から、前記第１の画像についての実質的に全ての画素の読み出しの完了までの時間よりも大きい、
方法。
【請求項２３】
前記第１の画像および第２の画像は、一連の動画ビデオフレームにおける第１のフレームに対応しており、
前記方法は、
第３の画像に対応する第３の画像データであって、前記画素アレイによって前記第１の露出レベルでキャプチャされた光に対応する第３のデジタル測定値に由来する第３の画像データを取得することと、
第４の画像に対応する第４の画像データであって、前記画素アレイによって前記第２の露出レベルでキャプチャされた光に対応する第４のデジタル測定値に由来する第４の画像データを取得し、前記画素の各々が、前記第４の画像に対応する光をキャプチャすることを開始する前に、前記第３の画像に対応する光をキャプチャすることを完了し、前記第３の画像および第４の画像が、一連の動画ビデオフレームにおける第２のフレームに対応していることと、
第２の結合画像に対応する結合画像データを作り出すために、前記第３の画像データと前記第４の画像データとを選択的に結合することと、
をさらに含み、
前記第４の画像に対応する光をキャプチャする前記ステップは、前記第３のデジタル測定値の読み出しの完了の前に開始され、
さらに、前記第３のデジタル測定値を読み出す実質的な完了から、前記第４のデジタル測定値を読み出す実質的な完了までの時間は、前記第３の画像についての第１の画素の読み出しの完了から、前記第３の画像についての実質的に全ての画素の読み出しの完了までの時間よりも大きい、
請求項２２に記載の方法。
【請求項２４】
前記第１の画像および前記第２の画像の１つまたは複数に対応する画素値に応答して、混合されるコンテンツに含まれる第１の画像コンテンツおよび第２の画像コンテンツの相対的量を変動させることによって、前記結合画像の少なくとも幾つかについて前記第１の画像からのコンテンツと前記第２の画像からのコンテンツとを一緒に混合すること、をさらに含む、請求項２２に記載の方法。
【請求項２５】
ユーザ入力に応答して、前記結合画像の中に含めるために混合されるコンテンツの量を調節することをさらに含む、請求項２４に記載の方法。
【請求項２６】
前記コンテンツを一緒に混合することは、前記第１および第２の画像の１つまたは複数から相対的に低い信号対雑音のコンテンツを廃棄することをさらに含む、請求項２４に記載の方法。
【請求項２７】
少なくとも一つの画素アレイを使用して取得された画像データを混合するシステムであって、
一つまたはそれ以上のハードウェアプロセッサと、
前記一つまたはそれ以上のハードウェアプロセッサを実行する混合モジュールと、
を含み、
該混合モジュールは、
第１の画像に対応する第１の画像データであって、複数の画素を含む少なくとも一つの画素アレイによって第１の露出レベルでキャプチャされた光に対応する第１のデジタル測定値から由来する第１の画像データを取得し、
第２の画像に対応する第２の画像データであって、前記第１の露出レベルとは異なる第２の露出レベルで前記画素アレイによってキャプチャされた光に対応する第２のデジタル測定値に由来する第２の画像データを取得し、前記画素の各々が、前記第２の画像に対応する光をキャプチャすることを開始する前に、前記第１の画像に対応する光をキャプチャすることを完了し、
結合画像に対応する結合画像データを作り出すために、第１の画像データと第２の画像データとを選択的に結合する、
ように構成され、
前記第２の画像に対応する光をキャプチャすることは、前記第１のデジタル測定値の読み出しの完了の前に開始され、
さらに、前記第１のデジタル測定値を読み出す実質的な完了から、前記第２のデジタル測定値を読み出す実質的な完了までの時間は、前記第１の画像についての第１の画素の読み出しの完了から、前記第１の画像についての実質的に全ての画素の読み出しの完了までの時間よりも大きい、
システム。
【請求項２８】
前記第１の画像および第２の画像は、一連の動画ビデオフレームにおける第１のフレームに対応しており、
前記混合モジュールは、
第３の画像に対応する第３の画像データであって、前記画素アレイによって前記第１の露出レベルでキャプチャされた光に対応する第３のデジタル測定値に由来する第３の画像データを取得し、
第４の画像に対応する第４の画像データであって、前記画素アレイによって前記第２の露出レベルでキャプチャされた光に対応する第４のデジタル測定値に由来する第４の画像データを取得し、前記画素の各々が、前記第４の画像に対応する光をキャプチャすることを開始する前に、前記第３の画像に対応する光をキャプチャすることを完了し、前記第３の画像および第４の画像が、一連の動画ビデオフレームにおける第２のフレームに対応し、
第２の結合画像に対応する結合画像データを作り出すために、前記第３の画像データと前記第４の画像データとを選択的に結合する、
ようにさらに構成され、
前記第４の画像に対応する光をキャプチャすることは、前記第３のデジタル測定値の読み出しの完了の前に開始され、
さらに、前記第３のデジタル測定値を読み出す実質的な完了から、前記第４のデジタル測定値を読み出す実質的な完了までの時間は、前記第３の画像についての第１の画素の読み出しの完了から、前記第３の画像についての実質的に全ての画素の読み出しの完了までの時間よりも大きい、
請求項２７記載のシステム。
【請求項２９】
前記混合モジュールは、前記第１の画像および前記第２の画像の１つまたは複数に対応する画素値に応答し、混合されるコンテンツに含まれる第１の画像コンテンツおよび第２の画像コンテンツの相対的量を変動させることによって、前記結合画像の少なくとも幾つかについて前記第１の画像からのコンテンツと前記第２の画像からのコンテンツとを一緒に混合する、ようにさらに構成される請求項２７に記載のシステム。
【請求項３０】
前記混合モジュールは、ユーザ入力に応答して、前記結合画像の中に含めるために混合されるコンテンツの量を調節する、ようにさらに構成される請求項２９に記載のシステム。
【請求項３１】
前記混合モジュールは、前記第１の画像および前記第２の画像の１つまたは複数から相対的に低い信号対雑音のコンテンツを廃棄することによって、少なくとも部分的にコンテンツを一緒に混合することを実行する、請求項２９に記載のシステム。